(57)【要約】【課題】  従来どおりにトラス寸法を変えずに、適度な容量の中間駆動装置を設置できるようにして、設置スペースの増加や中間部の駆動装置数の増加によるコスト高等の問題を解決した、効率のよい分散駆動形の乗客コンベアを可能とする。【解決手段】  踏段ローラ６、７を有する複数の踏段２と、複数の踏段２のそれぞれと連結して循環移動する踏段チェーン８と、トラスの中間部に設けられて踏段２の踏段ローラ６、７を案内するガイドレール１３ａ、１３ｂ、１４ａ、１４ｂと、トラスの中間部に設けられて踏段チェーン８に駆動力を伝達する中間駆動装置１２と、を備える乗客コンベアである。この踏段２の帰路側の移動経路に、前記踏段２の帰路側の姿勢を変更させる踏段姿勢変更区間が形成されている。【選択図】    図１
2006264872.tif 000002
【特許請求の範囲】
【請求項１】
踏段ローラを有する複数の踏段と、
前記複数の踏段のそれぞれと連結して一方の乗降口と他方の乗降口との間を循環移動する踏段チェーンと、
前記踏段チェーンの移動経路に沿ってトラスの中間部に設けられ、前記踏段の踏段ローラを案内する往路側及び帰路側のガイドレールと、
前記往路側及び帰路側のガイドレールに従って移動する前記踏段の往路側と帰路側との間に設けられ、前記踏段チェーンに駆動力を伝達する中間駆動装置と、を備え、
前記踏段の帰路側の移動経路に、前記踏段の帰路側の姿勢を変更させる踏段姿勢変更区間が形成されていることを特徴とする乗客コンベア。
【請求項２】
前記踏段姿勢変化区間は、前記中間駆動装置が設置されている位置の近傍に設けられてことを特徴とする請求項１に記載の乗客コンベア。
【請求項３】
前記踏段姿勢変化区間は、帰路側の後輪の踏段ローラを案内するガイドレールの高さを、トラス内で通常区間の高さよりも相対的に低い位置に設置することにより形成されていることを特徴とする請求項１に記載の乗客コンベア。
【請求項４】
前記踏段姿勢変化区間における前記ガイドレールの高さは、前記ガイドレールにより帰路側の後輪の踏段ローラが案内される踏段の踏板表面が、乗客コンベアの傾斜角度とほぼ平行の踏段姿勢になる高さであることを特徴とする請求項３に記載の乗客コンベア。
【請求項５】
前記帰路側の後輪の踏段ローラを案内するガイドレールは、前記踏段姿勢変化区間と通常区間との間に遷移区間を備え、この遷移区間は、踏段姿勢変化区間と通常区間とを接続する緩やかな傾斜または曲線で構成されていることを特徴とする請求項３又は４に記載の乗客コンベア。
【請求項６】
前記踏段姿勢変化区間において、少なくともその入口と出口に、後輪の踏段ローラを上側から案内する押さえレールを配置したことを特徴とする請求項３ないし５のいずれか１項に記載の乗客コンベア。
【請求項７】
前記踏段姿勢変化区間において、踏段の幅方向への変位を防ぐ変位防止機構を設けたことを特徴とする請求項１又は２に記載の乗客コンベア。
【請求項８】
前記変位防止機構は、踏板側面に当接又は若干の隙間を有して近接して設けた複数のローラであることを特徴とする請求項７に記載の乗客コンベア。
【請求項９】
前記変位防止機構は、踏板側面に当接または若干の隙間を有して近接して設けた低摩擦樹脂等で構成されるガイド部材であることを特徴とする請求項７に記載の乗客コンベア。
【請求項１０】
前記変位防止機構は、踏段の前輪または後輪に当接または若干の隙間を有して近接して設けた低摩擦樹脂等で構成されるプレート部材であることを特徴とする請求項７に記載の乗客コンベア。
【発明の詳細な説明】
【技術分野】
【０００１】
本発明は、中間部に駆動装置を設けた乗客コンベアに係り、特に、この駆動装置の設置空間を確保することのできる乗客コンベアに関する。
【背景技術】
【０００２】
エスカレータや動く歩道といった乗客コンベアは、前後に踏段ローラが設けられた複数の踏段を備えている。これらの踏段は、踏段チェーンによって無端状に連結され、この踏段チェーンを駆動することによって一方の乗降口と他方の乗降口との間を全ての踏段が同期して隙間なく循環移動するように構成されている。エスカレータにおいては、各踏段が、往路側の行程ではトラス内に設置された踏段ガイドレールに各ローラが支持されつつ案内されることによって、踏板部分が水平に保たれながら、乗口付近及び降口付近では水平方向に移動し、乗口付近から降口付近に至る中間部では、約３０度程度の昇降勾配方向に移動するようになっている。そして上階部又は下階部の折り返し部で反転レールにより踏段の各ローラが案内されて、踏段の進行方向及び踏段の姿勢が反転される。帰路側の行程においては、踏段が、トラス内で前記往路側の踏段ガイドレールよりも下方に設けられた帰路側の踏段ガイドレールより踏段の各ローラが案内されて移動するようになっている。
【０００３】
前記踏段を連結する踏段チェーンを駆動する駆動装置としては、上階側の乗口付近または降口付近の機械室内に設けられ、踏段チェーンの折り返し端部に設けられたスプロケットで駆動するタイプの装置が採用されることが多い。
【０００４】
また、別の駆動装置としては、トラスの中間部に設けられ、踏段チェーンと噛み合うラックなどで駆動するタイプのものもある。このトラスの中間部に設けられた駆動装置では、踏段チェーンの折り返し部でのローラ反力が階高に関係なく一定であり、階高に関わらず所定の強度の部品を用いることができるという利点があるとされている。
【０００５】
さらに、階高が大きいエスカレータにおいては、前記踏段チェーンの折り返し端部をスプロケットで駆動するタイプの駆動装置と、前記トラスの中間部に設けられる駆動装置とを、組み合わせて用いることも提案されている。これは、階高が大きい場合は、踏段チェーンにかかる負荷が大きいため、踏段チェーン折り返し端部の駆動装置だけでは十分な駆動力を伝達できない場合があり、また、階高が大きいエスカレータのみならず、移動距離の長い動く歩道等においても、踏段チェーン折り返し端部の駆動装置だけでは十分な駆動力を伝達できない場合があるためである。そこで、このような場合に、長尺な踏段チェーンおよびこの踏段チェーンに連結された一連の踏段を動かすために、長い踏段チェーンの途中（踏段チェーンが方向を変えて折り返す端部以外の部分）で駆動力を与えることのできる駆動装置を分配配置することが提案されている。
【０００６】
このような、トラスの中間部に駆動装置を設けた乗客コンベアについては、例えば特許文献１や特許文献２に開示がある。特許文献１では、中間部に設けられた駆動装置の駆動ピニオンと踏段チェーンのリンクプレート部に形成されたラックとを噛み合わせることにより、駆動装置の駆動力を、踏段チェーンに伝達させるようになっている。また、特許文献２では、歯付きチェーンのような特殊なチェーンを用いることなく標準的な踏段チェーンを利用して、トラスの中間部に設けられた駆動装置から駆動力を伝達するために、その駆動装置について、回転駆動装置から偏心軸を介して揺動体が取り付けられ、この揺動体にはトコロイド歯形をもつ転動歯が設けられ、この揺動体が回転駆動装置の回転運動の伝達により揺動運動しつつ、その転動歯と踏段チェーンとが噛み合うことにより、踏段チェーンに推力を与えるようにしている。
【０００７】
図５は、上述した中間部に駆動装置が設けられると共に、上階側の端部の機械室内にも駆動装置が設けられた乗客コンベアの概略図である。同図において、乗客コンベア５１は、利用者を乗せる踏板５２と、この踏板５２の一端部と接続する蹴上げ板５３と、この踏板５２及び蹴上げ板５３が取り付けられたフレームに設けられた前輪ローラ５４及び後輪ローラ５５と、を備える複数の踏段５６を備えている。これらの踏段５６の各前輪ローラ５４は、無端状の踏段チェーン５７に所定ピッチで連結されている。踏段チェーン５７は、上階側に設けられた駆動装置５８から動力が伝達される駆動輪５９と、下階側に設けられた従動輪６０とに巻きつけられて、前記駆動輪５９と前記従動輪６０との間を循環移動する。さらに、モータ６１を有する中間駆動装置６２が、乗客コンベア５１の中間傾斜部に設けられ、踏段チェーン５７と係合して動力を伝達している。図５では、中間駆動装置６２について、特許文献２に記載されているような、転動歯を有する揺動体の揺動運動により、踏段チェーン５７に推力を与える中間駆動装置６２を示している。
【０００８】
前記踏段チェーン５７の循環移動に伴い、踏段５６は、前輪ローラ５４が往路側前輪ガイドレール６３ａおよび帰路側前輪ガイドレール６３ｂに案内され、後輪ローラ５５が往路側後輪ガイドレール６４ａおよび帰路側前輪ガイドレール６４ｂに案内されて、循環移動することになる。
【０００９】
前記中間駆動装置６２は、往路を移動する踏段５６と帰路を移動する踏段５６との間に配設され、特にモータ６１及びモータ６１の動力を伝達するための図示しない減速機構等は、往路側の踏段５６の蹴上げ板５３下端部と帰路側の踏段６６の蹴上げ板５３下端部とに挟まれる空間（図のＸ寸法）に収められている。
【特許文献１】特開昭６１−１６６４９２号公報
【特許文献２】特開２００２−１２８４４１号公報
【発明の開示】
【発明が解決しようとする課題】
【００１０】
高階床の乗客コンベアを構成しようとしたときに、駆動装置を上階機械室に１台のみで配設して、その容量を大きくして対応しようとした場合には、大きな容量の駆動装置を設けるためには上階機械室のトラス寸法を大きくするなどの必要があり、さらに大容量の駆動装置やそれにあわせた強度を有するチェーンや駆動輪等は汎用性が無く、コストや入手性に問題があった。
【００１１】
そのため、近年では前掲特許文献１や特許文献２等に提案されるような、乗客コンベアの中間部に複数台の駆動装置を設置する技術が盛んに開発されている。
【００１２】
しかし、中間部に駆動装置を設置するためには、前述したように、モータや減速機などの駆動装置を構成する用品を、往路側を移動する踏段と帰路側を移動する移動する踏段との間の空間に収めなければならない。
【００１３】
よって、乗客コンベアの中間部に駆動装置を設置する従来の乗客コンベアにおいては、従来どおりのトラス寸法では、往路側及び帰路側の踏段間の空間に収容可能な、小さい容量の駆動装置しか収めることができなかった。そのため、十分な駆動力を確保するためには中間部に設置する駆動装置の台数を増やすか、トラスの中間部における深さ方向の寸法を大きくすることで往路及び帰路を移動する踏段の間を広げて、ある程度容量のある駆動装置を収めるしか方法がなかった。
【００１４】
しかしながら、中間部に設置する駆動装置の台数を増やすのではコストの増加を招き、また、メンテナンスの作業も増える。一方、トラスの中間部における深さ方向の寸法を大きくするのでは、新たに設計を変更することを要し、また、既設のエスカレータのトラス構造を改造するのは困難である。
【００１５】
そこで、本発明は、従来どおりにトラス寸法を変えずに、適度な容量の駆動装置を適当数設置することで、設置スペースの増加や中間部の駆動装置数の増加によるコスト高等の問題を解決した、効率のよい分散駆動形の乗客コンベアを可能とする乗客コンベアを提供することを目的としている。
【課題を解決するための手段】
【００１６】
本発明の乗客コンベアは、踏段ローラを有する複数の踏段と、前記複数の踏段のそれぞれと連結して一方の乗降口と他方の乗降口との間を循環移動する踏段チェーンと、前記踏段チェーンの移動経路に沿ってトラスの中間部に設けられ、前記踏段の踏段ローラを案内する往路側及び帰路側のガイドレールと、前記往路側及び帰路側のガイドレールに従って移動する前記踏段の往路側と帰路側との間に設けられ、前記踏段チェーンに駆動力を伝達する中間駆動装置と、を備え、前記踏段の帰路側の移動経路に、前記踏段の帰路側の姿勢を変更させる踏段姿勢変更区間が形成されていることを特徴とする。
【発明の効果】
【００１７】
本発明によれば、中間部に駆動装置を設置する乗客コンベアにおいて、踏段の帰路側の移動経路に、前記踏段の帰路側の姿勢を変更させる踏段姿勢変更区間が形成されていることにより、従来どおりのトラス寸法を変えずに、従来よりも大きな、適度な容量の駆動装置を適当数設置することができることから、設置スペースの増加や中間部の駆動装置数の増加によるコスト高等の問題を解決し、効率の良い乗客コンベアを構成できる。
【発明を実施するための最良の形態】
【００１８】
（第１の実施の形態）
図１は、本発明の乗客コンベアの第１の実施形態として、エスカレータの一例を、その中間部に設けられた駆動装置付近の要部で示した側面図である。
【００１９】
同図に示す乗客コンベア１は、複数の踏段２を備えている。この踏段２のそれぞれは、側面の外形が概略扇形を有するフレーム３と、このフレーム３に取り付けられ、乗客が乗る踏面を有する踏板４と、この踏板４の一端部と接続して前記フレーム３の円弧部に取り付けられる蹴上げ板５と、前記フレーム３に回動可能に取り付けられた踏段ローラとして、フレーム３の前端近傍に設けられた前輪ローラ６及びフレーム３の後端近傍に設けられた後輪ローラ７とを備えている。これらの踏段２の各前輪ローラ６は無端状の踏段チェーン８により所定ピッチで連結されている。
【００２０】
図１で模式的に示している踏段チェーン８は、ピンローラを有するチェーンであって、この踏段チェーン８は、モータ１１より駆動力が伝達された中間駆動装置１２により駆動される。なお、踏段チェーン８は、前記中間駆動装置１２に加えて、図示しない上階側の機械室に設けられた駆動装置によっても駆動されるようにすることもできる。
【００２１】
中間駆動装置１２は、モータ１１からの回転駆動力が伝達された偏心軸１２ａをそなえ、この偏心軸の回転により中間駆動装置１２全体が踏段チェーン８のピン間隔と同一量で揺動するようになっている。そして、中間駆動装置の上端部には、トコロイド形状の歯１２ｂが前記踏段チェーン８のピンに噛み合ように形成されていて、前記中間駆動装置１２が前記偏心軸の回転に伴い揺動することにより、トコロイド形状の歯１２ｂから、この歯１２ｂと噛み合う踏段チェーン８のピンに推進力が伝達されて、踏段チェーン８が駆動される。このような中間駆動装置１２は、特許文献２に記載されているものである。なお、本発明の乗客コンベアは、中間駆動装置の駆動機構については、図１や特許文献２に開示されたものに限られず、乗客コンベアの中間駆動装置として従来から用いられている他の中間駆動装置を用いることもできる。
【００２２】
踏段チェーン８の循環移動に伴い、この踏段チェーン８と連結している各踏段２は、往路側では前輪ローラ６が前輪ガイドレール１３ａにより案内され、後輪ローラ７が後輪ガイドレール１４ａにより案内されて、各踏段２の踏板４が水平に維持された状態で移動する。また、帰路側では、各踏段２は、前輪ローラ６が前輪ガイドレール１３ｂに案内され、後輪ローラ７が後輪ガイドレール１４ｂにより案内されて移動する。
【００２３】
そして、本実施形態の乗客コンベアにおいては、踏段２の帰路側の移動経路に、前記踏段２の帰路側の姿勢を変更させる踏段姿勢変更区間が形成されている。この踏段姿勢変更区間は、中間駆動装置１２が設置されている位置の近傍に設けられている。より具体的には、前記後輪ガイドレール１４ｂについて、トラス内のモータ１１及び中間駆動装置１２が設けられている近傍の領域、すなわち、図１に示す踏段姿勢変化区間において、帰路側の後輪ガイドレール１４ｂのトラスの内部における相対的位置が、この踏段姿勢変化区間の両側にある通常区間の高さよりも低い位置に配置されている。この帰路側の後輪ガイドレール１４ｂの低さの程度は、図示した例においては、帰路側の後輪ガイドレール１４ｂ及び前輪ガイドレール１３ｂとにより案内されている踏段２の踏板４の表面が、乗客コンベアの傾斜角度とほぼ平行な角度になるような踏段姿勢になる踏段（図１のＳの踏段）の後輪の高さにあわせた位置である。さらに、帰路側の後輪ガイドレール１４ｂは、通常区間と踏段姿勢変化区間との間を接続するように、踏段２の姿勢が移動に伴い次第に移り変わる領域として、緩やかな傾斜および曲線の組合せで構成されている遷移区間が設けられている。
【００２４】
この遷移区間は、後輪ローラ７の踏段姿勢変化区間への入口と出口に相当し、この遷移区間においては、踏段２の後輪ローラ７が、後輪ガイドレール１４ｂの通常区間から踏段姿勢変化区間へ移行する過程、踏段姿勢変化区間から通常区間へ移行する過程で、スムーズに移動できるように、後輪ローラ７上側から案内するための押さえレール１５が、前記後輪ガイドレール１４ｂと平行に設けられている。
【００２５】
図２に、踏段姿勢変化区間における帰路側部分の断面図を示す。図２において、踏段２の前輪ローラ６は、踏段チェーン８の循環移動に従い、転動しながら前輪ガイドレール１３ｂ上を案内され、同様に後輪ローラ７は、転動しながら後輪ガイドレール１４ｂ上を案内される。符号１６は乗客コンベアの外枠となるトラス部材であり、このトラス部材１６から、踏段２の踏板４の側面に向けて固定部材１７が突設され、この固定部材１７の先端に、踏段２の踏板４側面に当接又は若干の隙間を有して近接するようにガイドローラ１８が設けられている。このガイドローラ１８は、踏段２の踏板４の両側面に向けてそれぞれ設けられ、かつ、踏段の進行方向に沿って単数又は複数個が設けられている。
【００２６】
以下に、図１及び図２に示した本実施形態の作用について説明する。
【００２７】
まず、図１に示す乗客コンベアにおいて、中間駆動装置１２からの駆動力を伝達されて踏段チェーン８が循環移動すると、往路側では、踏段２が前輪ガイドレール１３ａ及び後輪ガイドレール１４ａに案内され、踏段２の踏板４が常に床面と平行な踏段姿勢を保ちながら上下階を移動する。
【００２８】
一方、帰路側の通常区間では、踏段２は帰路側の前輪ガイドレール１３ｂと後輪ガイドレール１４ｂに案内されて、連結されて隣り合う踏段２は、前輪ガイドレール１３ｂと後輪ガイドレール１４ｂとの位置関係により、一方の踏段の踏板４の先端部と、他方の踏段２の踏板４の後端部とが離隔した状態（図１のＰ）の踏段姿勢で移動している。
【００２９】
踏段２が遷移区間を経て踏段姿勢変化区間に移動すると、この踏段姿勢変化区間では、帰路側の後輪ガイドレール１４ｂの高さが、前述のとおり通常区間よりも相対的に低くなっていることにより、各踏段２の踏板４は、乗客コンベアの傾斜角度とほぼ平行となるように姿勢を変化させ、その姿勢のまま中間駆動装置１２付近を通過する。
【００３０】
このとき、後輪ローラ７は、後輪ガイドレール１４ｂに案内されるばかりでなく、遷移区間に設けられた押さえレール１５にも上側から案内されることにより、強制的に帰路側の後輪ガイドレール１４ｂに追従し、踏段２は確実に姿勢を変化する。
【００３１】
また、この踏段姿勢変化区間において、踏段２は、図２に示すように踏板４に当接又は近接配置されたガイドローラ１８により幅方向に移動できないように拘束されているので、踏段２の表面に櫛状に形成された踏板４が、前後の踏段２の踏板４のクリートと常に噛み合った状態（図１のＱ）で移動する。
【００３２】
以上により、本実施形態の乗客コンベアは、踏段姿勢変形区間では、通常区間に比べ、往路側の踏段２と帰路側の踏段２との間のスペースが、従来の乗客コンベアに比べて大きくなっている。すなわち、図１中で従来の乗客コンベアでは通常区間におけるスペースであるＹの寸法と同じであったものが、踏段姿勢変形区間の寸法Ｙ’に拡大されることから、中間駆動装置１２及びそれを駆動するモータ１１のための設置スペースが増加する。したがって、本実施形態によれば、中間部に中間駆動装置１２を設置した乗客コンベアにおいて、往路側と帰路側の踏段２間のスペースを広くとれるので、大きな容量のモータを有する中間駆動装置１２の設置が可能となり、少ない駆動装置の数でより高い階床の乗客コンベアの踏段を駆動することができる。これにより、駆動装置の数が少なくなることによるコストの低減、駆動装置の調整・点検時間の削減などの利点がある。
【００３３】
また、トラス深さを大きくする必要がないので設置スペースの増加を防ぐことができ、既存の乗客コンベアにも適用することができる。
【００３４】
また、踏段姿勢変更区間を、帰路側の前輪ガイドレール１３ｂの高さは変更することなく、後輪ガイドレール１４ｂの改良で達成することができ、改良に要する作業に対して得られる効果が大きい。
【００３５】
また、踏段姿勢変更区間における後輪ガイドレール１４ｂの高さについて、前記後輪ガイドレール１４ｂにより帰路側の後輪ローラ７が案内される踏段２の踏板４表面が、乗客コンベアの傾斜角度とほぼ平行の踏段姿勢になるような高さとすることにより、既存の踏段２をそのまま用いることができる。
【００３６】
また、踏段姿勢変化区間と通常区間との間に、前記遷移区間を備えることにより、踏段２は、後輪ガイドレール１４ｂに案内されて、通常区間から踏段姿勢変化区間へと滑らかに移行することができ、また、踏段姿勢変化区間から通常区間へと滑らかに移行することができる。
【００３７】
また、押さえレール１５が配置されることにより、踏段姿勢変化区間前後での移行過程で後輪ローラ７は強制的に帰路側の後輪ガイドレール１４ｂに追従し、踏段２が確実に姿勢を変化することができる。
【００３８】
また、踏段姿勢変化区間では、前述したように踏段２の表面に櫛状に形成された（クリートが形成された）踏板４が、前後の踏段２の踏板４のクリートと常に噛み合った状態（図１のＱ）で移動するが、図２に示すように、前記ガイドローラ１８によって、踏段２は、踏段２の幅方向の変位が拘束されているため、前後の踏段２が、幅方向に相対移動することはなく、よって、噛み合っている櫛状部分が互いに接触して破損するおそれはない。
【００３９】
（第２の実施の形態）
図３は、本発明の乗客コンベアの第２の実施形態を示す踏段姿勢変化区間における帰路側部分の断面図を示している。
【００４０】
なお、同図において、第１の実施の形態を図示した図２と同一部材については同一の符号を付しており、以下では、重複する説明を省略する。
【００４１】
図３に示す本実施形態の乗客コンベアにおいては、トラス部材１６から、踏段２の踏板４側面に向けて固定部材１７が設けられ、この固定部材１７の先端に、踏段２の踏板４側面に当接又は若干の隙間を有して近接するように低摩擦樹脂等で構成されるガイド部材１９が設けられている。このガイド部材１９は、踏段２の踏板４の両側面に向けてそれぞれ設けられ、かつ、踏段の進行方向に沿って単数又は複数個が設けられている。
【００４２】
なお、図３に示す本実施形態においても、図１に示すような踏段姿勢変化区間が設けられおり、この踏段姿勢変化区間が設けられていることによって、第１の実施形態と同様の効果が得られる。
【００４３】
図３に示した本実施形態においては、ガイド部材１９が踏段の幅方向の変位を拘束することから、第１の実施例と同様に、前後の踏段について、噛み合っている櫛状部分が互いに接触して破損するおそれはない。
【００４４】
（第３の実施の形態）
図４は、本発明の乗客コンベアの第３の実施形態を示す踏段姿勢変化区間における帰路側部分の断面図を示す。
【００４５】
図４において、図２及び図３と同一の部材については、同一の符号を付して、以下では重複する記載を省略する。
【００４６】
同図では、帰路側の後輪ガイドレール１４ｂの側面に、踏段２の後輪ローラ７に当接又は若干の隙間を有して近接するように配置された低摩擦樹脂等で構成されるプレート部材２０が取付けられている。プレート部材２０は、踏段２の踏板４の両側面に向けてそれぞれ設けられ、かつ、踏段の進行方向に沿って単数又は複数個が設けられている。
【００４７】
なお、図４に示す本実施形態においても、図１に示すような踏段姿勢変化区間が設けられおり、この踏段姿勢変化区間が設けられていることによって、第１の実施形態と同様の効果が得られる
このプレート部材２０が設けられていることにより、プレート部材２０は、踏段２の後輪ローラ７を介し、踏段２の幅方向の変位を拘束する。したがって、第１の実施形態及び第２の実施形態と同様に、前後の踏段について、噛み合っている櫛状部分が互いに接触して破損するおそれはない。
【図面の簡単な説明】
【００４８】
【図１】本発明の乗客コンベアの第１の実施形態の中間部に設けられた駆動装置付近の要部で示した側面図である。
【図２】第１の実施形態の踏段姿勢変化区間における帰路側部分の断面図である。
【図３】本発明の第２の実施形態の踏段姿勢変化区間における帰路側部分の断面図である。
【図４】本発明の第３の実施形態の踏段姿勢変化区間における帰路側部分の断面図である。
【図５】従来の中間部に駆動装置が設けられた乗客コンベアを表す概略図である。
【符号の説明】
【００４９】
１…乗客コンベア、２…踏段、３…フレーム、４…踏板、５…蹴上げ板、６…前輪ローラ（踏段ローラ）、７…後輪ローラ（踏段ローラ）、８…踏段チェーン、１１…モータ、１２…中間駆動装置、１３ａ…往路側の前輪ガイドレール、１３ｂ…帰路側の前輪ガイドレール、１４ａ…往路側の後輪ガイドレール、１４ｂ…帰路側の後輪ガイドレール、１５…押さえレール、１６…トラス部材、１７…固定部材、１８…ガイドローラ、１９…ガイド部材、２０…プレート部材
【図１】
2006264872.tif 000003
【図２】
2006264872.tif 000004
【図３】
2006264872.tif 000005
【図４】
2006264872.tif 000006
【図５】
2006264872.tif 000007